(57)【要約】【課題】  保護部材を備えるカッターにおいて、一枚の刃を長期間使用することができるものを提供する。【解決手段】  把手部３と刃保持部４とを有するカッター本体２と、刃保持部４に保持される円盤状の刃５とを備え、刃５には、該刃５の外周の刃先を覆う保護部材６が周方向の間隔を存して複数取り付けられ、刃保持部４は、これら複数の保護部材６の１個の保護部材６及び該１個の保護部材６の取付箇所の周方向両側の刃先部分５ｃが前記刃保持部４の所定の辺の外方に突出する状態で刃５を保持可能であって、且つ、所定の辺の外方に突出する保護部材６を任意に変更できるように、刃５を位相を変えて保持可能な構造に構成されている。【選択図】  図１
2005296401.tif 000002
【特許請求の範囲】
【請求項１】
把手部と刃保持部とを有するカッター本体と、刃保持部に保持される円盤状の刃とを備え、
刃には、該刃の外周の刃先を覆う保護部材が周方向の間隔を存して複数取り付けられ、
刃保持部は、これら複数の保護部材の１個の保護部材及び該１個の保護部材の取付箇所の周方向両側の刃先部分が前記刃保持部の所定の辺の外方に突出する状態で刃を保持可能であって、且つ、所定の辺の外方に突出する保護部材を任意に変更できるように、刃を位相を変えて保持可能な構造に構成されていることを特徴とするカッター。
【請求項２】
前記各保護部材の前記刃の径方向内方の端面は、径方向内方に凸の曲面に形成されていることを特徴とする請求項１記載のカッター。
【請求項３】
前記刃保持部は、前記刃を前記所定の辺の法線方向に移動自在に保持するように構成されていることを特徴とする請求項１又は２記載のカッター。
【請求項４】
前記刃保持部には、前記所定の辺の外方に突出する１個の保護部材以外の他の保護部材が嵌合する嵌合部が形成され、嵌合部への保護部材の嵌合で前記刃が刃保持部に対して回り止めされることを特徴とする請求項１〜３の何れか１項記載のカッター。
【発明の詳細な説明】
【技術分野】
【０００１】
本発明は、包装箱を開封する際、刃により包装箱内の収納物を傷つけないようにするための保護部材を備えるカッターに関する。
【背景技術】
【０００２】
従来、柄の先端に刃が取り付けられ、刃の先端に、包装箱内の収納物を刃で傷つけないように保護する保護部材が一体に形成されたカッターが知られている（例えば、特許文献１参照。）。
【０００３】
しかしながら、このカッターは、保護部材が刃の先端に一体に形成されているため、刃こぼれが生じると、刃を全て取り替えるか、又はカッター自体を新たに購入しなければならなかった。ここで、刃を全て取り替えるとなると、新しい刃を保管場所から探し出す必要があり手間がかかる。従って、できるならば一般のカッターによく見られるように、刃に切断用の溝を複数形成しておき、刃を切断用の溝で切断し、刃こぼれしていない部分を有効に利用することにより、一枚の刃を長期間使用できるようにし、新しい刃を探す手間をできるだけ省くようにしたい。
【０００４】
しかしながら、前記カッターでは、刃の先端に保護部材が一体に形成されているため、刃を切断すると、保護部材まで無くなってしまい、包装箱の切断時に中の収納物を刃から保護することができなくなってしまう。このため、一枚の刃を長期間使用することができず、刃こぼれが生じた場合、刃を取り替えるか、新しいカッターを購入する必要があった。
【特許文献１】実公昭５３−５０３５号公報（第２頁、第１図）
【発明の開示】
【発明が解決しようとする課題】
【０００５】
本発明は上記背景を鑑みてなされたものであり、保護部材を備えるカッターにおいて、一枚の刃を長期間使用することができるものを提供することを目的とする。
【課題を解決するための手段】
【０００６】
上記目的を達成するため、本発明のカッターは、把手部と刃保持部とを有するカッター本体と、刃保持部に保持される円盤状の刃とを備え、刃には、該刃の外周の刃先を覆う保護部材が周方向の間隔を存して複数取り付けられ、刃保持部は、これら複数の保護部材の１個の保護部材及び該１個の保護部材の取付箇所の周方向両側の刃先部分が前記刃保持部の所定の辺の外方に突出する状態で刃を保持可能であって、且つ、所定の辺の外方に突出する保護部材を任意に変更できるように、刃を位相を変えて保持可能な構造に構成されていることを特徴とする。
【０００７】
かかる構成によれば、刃保持部の所定の辺の外方に突出する保護部材を包装箱の内面に入れ込んだ状態で、保護部材の取付箇所の周方向に隣接する刃先部分により包装箱を切断することができ、包装箱内の収納物が傷つくことを保護部材によって防止できる。そして、刃保持部の所定の辺の外方に突出した前記刃先部分が刃こぼれした場合に、刃の位相を変えることにより所定の辺の外方に突出する保護部材を任意に変更し、刃こぼれしていない刃先部分を新たに刃保持部の所定の辺の外方に突出させることができる。従って、従来のカッターのように、刃を切断して保護部材が無くなるということはなく、また、一枚の刃を長期間使用することができる。
【０００８】
更に、刃保持部の所定の辺の外方に、保護部材と共にその取付箇所の周方向両側の刃先部分が突出するため、カッターを押し引き何れの方向に動かしても切断を行うことができ、使い勝手がよくなる。
【０００９】
ところで、包装箱の一つの側板からこれに角部を介して隣接する側板に渡って連続して切断する場合、角部内面に保護部材が引っ掛かると、カッターを角部でうまく回転できなくなり、隣接する側板に渡る連続的な切断が困難になる。この場合、前記各保護部材の前記刃の径方向内方の端面を、径方向内方に凸の曲面に形成すれば、両側板間の角部内面に対し保護部材が曲面状の内端面において引っ掛かりを生ずることなく円滑に滑動する。これにより、カッターを包装箱の角部で円滑に回転させることができ、隣接する側板を連続的に切断することが容易になる。
【００１０】
また、前記刃保持部が、前記刃を前記所定の辺の法線方向に移動自在に保持するように構成されていれば、カッターの不使用時に、刃を前記法線方向に移動させて刃保持部で保持させることにより、刃先が刃保持部から突出しないようにすることができ、安全である。
【００１１】
また、前記刃保持部に、前記所定の辺の外方に突出する１個の保護部材以外の他の保護部材が嵌合する嵌合部を形成し、嵌合部への保護部材の嵌合で前記刃が刃保持部に対して回り止めされるようにすれば、前記他の保護部材を有効に活用し、包装箱を切断する際の切断抵抗によって生じる回転モーメントにより、刃が刃保持部に対して回転することを確実に防止することができる。
【発明を実施するための最良の形態】
【００１２】
本発明の実施の形態を図１から図４を参照して説明する。図１は本発明のカッターの実施形態を示す説明図、図２は本実施形態の分解図、図３は本実施形態のカッターにより包装箱の角部を切断する状態を示す説明図、図４は本実施形態の刃を刃保持部の所定の辺の法線方向に移動させた状態を示す説明図である。
【００１３】
本発明の実施形態のカッター１は、図１に示すように、略長方形状の把手部３と略正方形状の刃保持部４とを有するカッター本体２と、刃保持部４に保持される円盤状の刃５とを備える。把手部３には、指を挿入できるように長円形状の孔３ａが形成されている。刃５には、その外周の刃先を覆う保護部材６が、周方向の間隔を存して複数、例えば、９０°間隔で４個取り付けられている。
【００１４】
各保護部材６は、図２に示すように、刃５の板厚方向に分割される１対の分割片６１，６２で構成されている。一方の分割片６１には１対のねじ孔６１ａが形成されている。また、他方の分割片６２には、ねじ孔６１ａに対応する１対の透孔６２ａが形成されている。また、刃５の各保護部材６の取付箇所には、ねじ孔６１ａ及び透孔６２ａに対応する１対の透孔５ａが形成されている。そして、分割片６２の透孔６２ａ及び刃５の透孔５ａを介して、ボルト６３を分割片６１のねじ孔６１ａに螺合させることにより両分割片６１，６２が刃５を挟むようにして締結され、これにより、保護部材６が刃５の刃先を覆うようにして取り付けられる。また、各保護部材６の刃５の径方向内方を向く端面６ａは、径方向内方に凸の曲面に形成されている。
【００１５】
刃保持部４は、把手部３の一方の短辺に一体に連設された略方形のベース部材４１と、ベース部材４１との間に刃５を挟持する、ベース部材４１とは別体の略方形の押さえ部材４２とで構成される。ここで、把手部３の長辺に沿う方向を横方向、短辺に沿う方向を上下方向として、押さえ部材４２には、その中央やや下方に位置させて、軸部４２ａが突設されている。そして、刃５の中央に形成された透孔５ｂに軸部４２ａを挿通することにより、刃５の下側の１個の保護部材６とこの保護部材６の取付箇所の周方向両側の刃先部分５ｃ（図１参照。）とを押さえ部材４２の下辺の下方に突出させた状態で、刃５が押さえ部材４２に保持されるようにしている。
【００１６】
また、押さえ部材４２には、その下方に突出した保護部材６以外の他の３個の保護部材６に対応する位置に、保護部材６の分割片６１の形状に対応する切欠部４２ｂが形成されている。この切欠部４２ｂに分割片６１が嵌合することにより、刃５は押さえ部材４２に対して回り止めされる。また、押さえ部材４２の下辺には、後述する包装箱の角部に対する逃げとなる切欠部４２ｃが形成されている。
【００１７】
ベース部材４１の上辺には、刃５の上側の保護部材６の分割片６２が嵌合する略Ｕ字状の嵌合部４１ａが、下方に向かって形成されている。嵌合部４１ａの下端部は、保護部材６の曲面状の端面６ａに対応する形状に形成されている。また、ベース部材４１には、その横方向中央に軸部４２ａを挿通するための透孔４１ｂが形成されている。また、ベース部材４１の横方向両側の側辺には、刃５の横方向両側の保護部材６の分割片６２が嵌合する切り欠き形状の嵌合部４１ｃ，４１ｄが形成されている。
【００１８】
なお、透孔４１ｂ及び嵌合部４１ｃ，４１ｄは、刃保持部４の下辺の法線方向たる上下方向への刃５の移動を許容するために上下方向に長手に形成されている。また、ベース部材４１の下辺には、刃保持部４に対する刃５の上方向への移動を許容するために、刃５の下側の保護部材６の分割片６２を受け入れる切欠部４１ｅが形成されている。
【００１９】
軸部４２ａの先端部は雄ねじに形成されており、軸部４２ａを刃５の透孔５ｂ及びベース部材４１の透孔４１ｂに挿通させた状態で、その先端にナット４３を螺合させ締め付けることにより、刃５はベース部材４１と押さえ部材４２との間に挟圧された状態で刃保持部４に保持される。
【００２０】
刃５の下方部が刃保持部４のベース部材４１の下辺（所定の辺）の下方（外方）に突出しているとき、刃５の上側の保護部材６は、ベース部材４１の上側の嵌合部４１ａの下端部に当接し、また、刃５の横方向両側の保護部材６，６は、ベース部材４１の横方向両側の嵌合部４１ｃ，４１ｄの下端部に当接している。これにより、刃５は刃保持部４（ベース部材４１）に対して回り止めされ、包装箱を切断する際の切断抵抗によって生じる回転モーメントにより、刃５が刃保持部４（ベース部材４１）に対して回転することを確実に防止することができる。
【００２１】
また、本実施形態のカッター１においては、図１に示すように、刃保持部４の下方に、保護部材６と共にその取付箇所の周方向両側の刃先部分５ｃが突出するため、カッター１を押し引き何れの方向に動かしても包装箱の切断を行うことができ、使い勝手がよくなる。
【００２２】
本実施形態のカッター１を使用する際には、図３に示すように、まず、包装箱７内に刃保持部４の下辺の下方に突出した保護部材６を入れ込む。この入れ込みは、包装箱７に図示しない入れ込み用の孔又はスリットを形成して、この孔又はスリットを利用して入れ込んでもよいし、包装箱７の図示しない取手用の孔や、包装箱７の一対の蓋フラップの先端の突き合わせ部分の隙間を利用して入れ込むようにしてもよい。
【００２３】
そして、包装箱７の側板７１を突出した保護部材６の取付箇所の周方向両側に位置する刃先によりカッター１を押し引きすることにより切断する。保護部材６は、包装箱７内の図示しない収納物を刃５の刃先で傷つけないように保護する。図３では、カッター１を引いて包装箱７を切断した状態を示している。ここで、包装箱７の一つの側板７１からこれに角部７２を介して隣接する側板７３に渡って連続して切断する場合、角部７２内面に保護部材６が引っ掛かると、カッター１を角部７２でうまく回転できなくなり、隣接する側板７３に渡る連続的な切断が困難になる。
【００２４】
しかしながら、本実施形態では、両側板７１，７３間の角部７２内面に対し保護部材６が曲面状の端面６ａにおいて引っ掛かりを生ずることなく円滑に滑動する。これにより、カッター１を包装箱７の角部７２で円滑に回転させることができ、隣接する側板７３を連続的に切断することが容易になる。なお、刃保持部４の下辺には、切欠部４２ｃ，４１ｅ（図２参照。）が形成されているため、カッター１により包装箱７の角部７２を切断する際に、刃保持部４の下辺に角部７２の外面が接触することを防止することができる。
【００２５】
本実施形態のカッター１の刃保持部４の下辺の下方に突出した保護部材６の取付箇所の周方向両側に位置する刃先部分５ｃが刃こぼれした場合は、ナット４３を軸部４２ａから取り外し、押さえ部材４２と刃５とをベース部材４１から取り外して、押さえ部材４２に対し、刃５を、異なる保護部材６が押さえ部材４２の下辺から突出するように位相を変えて装着する。そして、再び、ベース部材４１に、押さえ部材４２と刃５とを取り付け、ナット４３を軸部４２ａに螺合させ、ベース部材４１と押さえ部材４２との間に刃５を挟圧保持する。このように刃５の位相を任意に変更することにより、刃こぼれのない刃先部分を使用することができ、従来のカッターのように、刃を切断して保護部材が無くなるということはなく、一枚の刃５を長期間使用することができる。
【００２６】
本実施形態のカッター１を使用した後は、ナット４３を緩め、押さえ部材４２を介して、刃５をベース部材４１に対して上方へ移動させる。そして、刃５の下側の保護部材６の分割片６２の曲面状の端面６ａがベース部材４１の切欠部４１ｅに当接し、かつ刃５の横方向両側の保護部材６の分割片６２の上端がベース部材４１の横方向両側の嵌合部４２ｃ，４２ｄの上端部に当接するまで、刃５をベース部材４２に対して上方へ移動させた後、再びナット４３を締め付ける。これによれば、図４に示すように、刃５の下側の保護部材６の取付箇所の周方向両側の刃先部分５ｃを刃保持部４に没入させた状態で、刃５が刃保持部４に固定され、安全である。
【００２７】
以上、刃５に４個の保護部材６を取り付けた実施形態について説明したが、保護部材６の個数は４個に限られず、例えば、保護部材６を刃５に、１８０°間隔で２個取り付けてもよいし、１２０°間隔で３個取り付けてもよい。この場合、嵌合部４１ａ，４１ｃ，４１ｄ及び切欠部４２ｂは、保護部材６の取付箇所に対応するように設計変更する。
【図面の簡単な説明】
【００２８】
【図１】本発明のカッターの実施形態を示す説明図。
【図２】本実施形態の分解図。
【図３】本実施形態のカッターにより包装箱の角部を切断する状態を示す説明図。
【図４】本実施形態の刃を刃保持部の所定の辺の法線方向に移動させた状態を示す説明図。
【符号の説明】
【００２９】
１…カッター、  ２…カッター本体、  ３…把手部、  ３ａ…孔、  ４…刃保持部、  ４１…ベース部材、  ４１ａ…嵌合部、  ４１ｂ…透孔、  ４１ｃ，４１ｄ…嵌合部、  ４１ｅ…切欠部、  ４２…押さえ部材、  ４２ａ…軸部、  ４２ｂ…切欠部、  ４２ｃ…切欠部、  ４３…ナット、  ５…刃、  ５ａ…透孔、  ５ｂ…透孔、  ５ｃ…刃先部分、  ６…保護部材、  ６ａ…端面、  ６１…分割片、  ６１ａ…ねじ孔、  ６２…分割片、  ６２ａ…透孔、  ６３…ボルト、  ７…包装箱、  ７１…側板、  ７２…角部、  ７３…側板。
【図１】
2005296401.tif 000003
【図２】
2005296401.tif 000004
【図３】
2005296401.tif 000005
【図４】
2005296401.tif 000006